(57)【要約】【課題】美観性を向上させるとともに、清掃性を高め得るコンロ付調理台を提供する。【解決手段】コンロ付調理台１は、加熱調理器２０に関連してなされる吸気、排気の少なくともいずれか一方のための空気流通用開口１３を、前記加熱調理器とは異なる位置に開設した天板１０を備え、該天板の裏面１０ｂに、該空気流通用開口に対応した開口４０ａを形成した裏補強桟部材４０を固着していることを特徴とする。【選択図】図１
2010011968.tif 000002
【特許請求の範囲】
【請求項１】
加熱調理器に関連してなされる吸気、排気の少なくともいずれか一方のための空気流通用開口を、前記加熱調理器とは異なる位置に開設した天板を備え、該天板の裏面に、該空気流通用開口に対応した開口を形成した裏補強桟部材を固着していることを特徴とするコンロ付調理台。
【請求項２】
請求項１において、
前記裏補強桟部材は、前記加熱調理器に関連して設けられた吸気、排気の少なくともいずれか一方のためのダクトの一部を構成していることを特徴とするコンロ付調理台。
【請求項３】
請求項１または２において、
前記裏補強桟部材は、前記加熱調理器と前記空気流通用開口とを連通させる空気流通路と、前記天板との間に設けられた中空部を有していることを特徴とするコンロ付調理台。
【請求項４】
請求項１乃至３のいずれか１項において、
前記天板の空気流通用開口に嵌め込まれる通気蓋部材を更に備えており、
前記裏補強桟部材には、前記通気蓋部材が載置される載置部が設けられていることを特徴とするコンロ付調理台。
【請求項５】
請求項１乃至４のいずれか１項において、
前記加熱調理器は、前記天板に形成された調理器用開口に嵌め込んで設置されるコンロ式調理器とされ、
前記裏補強桟部材には、前記コンロ式調理器の天板鍔部の一側端部を支持する支持部が設けられていることを特徴とするコンロ付調理台。
【請求項６】
請求項１乃至５のいずれか１項において、
前記裏補強桟部材の上面には、複数本の凹溝が設けられていることを特徴とするコンロ付調理台。
【発明の詳細な説明】
【技術分野】
【０００１】
本発明は、加熱調理器を備えたコンロ付調理台に関する。
【背景技術】
【０００２】
従来の加熱調理器を備えたコンロ付調理台としては、キッチンの天板（カウンター）に開口を設け、該開口にガスコンロや電磁式コンロ（ＩＨ）等のコンロ式加熱調理器を、嵌め込み設置してなるコンロ付調理台が汎用されている。また、キッチンの天板の下部に配置されたキャビネット（収納部）に、オーブンレンジやグリル（ロースター）等の加熱調理器を配設したコンロ付調理台が汎用されている。
上記のようなコンロ付調理台においては、加熱調理器の機器内部における熱のこもりを排熱するためや、排煙等のために、当該加熱調理器に関連して吸気及び排気がなされる。
上記のような吸気及び排気のための空気流通用の開口は、従来、モジュール化された加熱調理器のトッププレート等に設けられるのが一般的である。
【０００３】
例えば、下記特許文献１では、加熱調理器の筐体の天板（トッププレート）に、吸排気口を設け、機器内部に設置された電磁調理器を強制的に空冷するために、外気を取り入れ、上記吸排気口から排気するようにしたクッキング装置が提案されている。
このものでは、筐体のトッププレートの手前側に三口のコンロを配置し、その後方に上記吸排気口を設け、当該吸排気口に排気カバーを被せた構成とされている。
【特許文献１】特開２００４−７６９５４号公報
【発明の開示】
【発明が解決しようとする課題】
【０００４】
しかしながら、上記特許文献１に記載されたような従来の加熱調理器では、加熱調理器自体のトッププレート等に吸排気口が設けられているため、加熱調理器のトッププレートが上記排気カバー等によって、凹凸が形成されることから見栄えが悪くなるという問題があった。また、上記のようにトッププレートに排気カバー等が設けられていることから、トッププレートの上面に凹凸が形成され、清掃性も良くないものであった。
【０００５】
本発明は、上記実情に鑑みなされたものであり、美観性を向上させるとともに、清掃性を高め得るコンロ付調理台を提供することを目的としている。
【課題を解決するための手段】
【０００６】
前記目的を達成するために、本発明に係るコンロ付調理台は、加熱調理器に関連してなされる吸気、排気の少なくともいずれか一方のための空気流通用開口を、前記加熱調理器とは異なる位置に開設した天板を備え、該天板の裏面に、該空気流通用開口に対応した開口を形成した裏補強桟部材を固着していることを特徴とする。
【０００７】
本発明の前記コンロ付調理台においては、前記裏補強桟部材を、前記加熱調理器に関連して設けられた吸気、排気の少なくともいずれか一方のためのダクトの一部を構成するものとしてもよい。
本発明の前記コンロ付調理台においては、前記裏補強桟部材を、前記加熱調理器と前記空気流通用開口とを連通させる空気流通路と、前記天板との間に設けられた中空部を有したものとしてもよい。
本発明の前記コンロ付調理台においては、前記天板の空気流通用開口に嵌め込まれる通気蓋部材を更に備えたものとし、前記裏補強桟部材に、前記通気蓋部材が載置される載置部を設けるようにしてもよい。
【０００８】
本発明の前記コンロ付調理台においては、前記加熱調理器を、前記天板に形成された調理器用開口に嵌め込んで設置されるコンロ式調理器とし、前記裏補強桟部材に、前記コンロ式調理器の天板鍔部の一側端部を支持する支持部を設けるようにしてもよい。
本発明の前記コンロ付調理台においては、前記裏補強桟部材の上面に、複数本の凹溝を設けるようにしてもよい。
【発明の効果】
【０００９】
本発明に係る前記コンロ付調理台は、加熱調理器に関連してなされる吸気、排気の少なくともいずれか一方のための空気流通用開口を、前記加熱調理器とは異なる位置に開設した天板を備えているので、従来のように、加熱調理器自体のトッププレートには、空気流通用開口を設ける必要がない。従って、加熱調理器のトッププレートは、加熱体（ガスコンロの場合は、ガスバーナー等）が露出していない部位を、平滑にでき、美観性を向上できるとともに、清掃性に優れたものとなる。特に、電磁式やラジエントヒータ等を熱源とする表面が平滑となる電気式コンロでは、当該加熱体の部位も平滑にできるので、加熱調理器のトッププレートの略全面が平滑となり、美観性及び清掃性に優れたものとなる。
また、前記コンロ付調理台は、上記のように、空気流通用開口を、天板に設けるとともに、該天板の裏面に、該空気流通用開口に対応した開口を形成した裏補強桟部材を固着している。従って、上記のように美観性及び清掃性を向上させるために、加熱調理器自体ではなく、天板に空気流通用開口を設けた場合にも上記裏補強桟部材によって、該天板の強度を高めることができる。
【００１０】
本発明に係る前記コンロ付調理台において、前記裏補強桟部材を、前記加熱調理器に関連して設けられた吸気、排気の少なくともいずれか一方のためのダクトの一部を構成するものとすれば、以下のような効果を奏する。
すなわち、裏補強桟部材が、加熱調理器に関連して設けられたダクトの一部を構成しているので、当該裏補強桟部材が天板を補強する機能と、ダクトの機能とを兼ね備えたものとなる。従って、これらを別体としたものと比べて、部品点数を少なくでき、組み付け工程時における工数を削減できる。
【００１１】
本発明に係る前記コンロ付調理台において、前記裏補強桟部材を、前記加熱調理器と前記空気流通用開口とを連通させる空気流通路と、前記天板との間に設けられた中空部を有したものとすれば、該中空部が断熱部として機能する。これにより、上記空気流通路を流通する温風の熱を当該中空部で遮断でき、天板への伝熱を低減できる。
【００１２】
本発明に係る前記コンロ付調理台において、前記天板の空気流通用開口に嵌め込まれる通気蓋部材を更に備えたものとし、前記裏補強桟部材に、前記通気蓋部材が載置される載置部を設けるようにすれば、以下のような効果を奏する。
すなわち、当該裏補強桟部材が天板を補強する機能と、通気蓋部材を保持する機能とを兼ね備えたものとなる。従って、これらを別体としたものと比べて、部品点数を少なくでき、組み付け工程時における工数を削減できる。
【００１３】
本発明に係る前記コンロ付調理台において、前記加熱調理器を、前記天板に形成された調理器用開口に嵌め込んで設置されるコンロ式調理器とし、前記裏補強桟部材に、前記コンロ式調理器の天板鍔部の一側端部を支持する支持部を設けるようにすれば、以下のような効果を奏する。
すなわち、当該裏補強桟部材が天板を補強する機能と、コンロ式調理器の天板鍔部の一側端部を支持する機能とを兼ね備えたものとなる。従って、これらを別体としたものと比べて、部品点数を少なくでき、組み付け工程時における工数を削減できる。
【００１４】
本発明に係る前記コンロ付調理台において、前記裏補強桟部材の上面に、複数本の凹溝を設けるようにすれば、天板の裏面への固着面となる上面に複数本の凹溝を形成しているので、当該上面が平滑面とされたものと比べて、天板の裏面への接着面積が増加し、当該裏補強桟部材の天板の裏面への固着強度を高めることができる。従って、当該裏補強桟部材が天板の裏面から剥離することを低減できるので、天板の強度を効果的に高めることができる。
【発明を実施するための最良の形態】
【００１５】
以下に本発明の最良の実施の形態について、図面に基づいて説明する。
図１は、第１実施形態に係るコンロ付調理台の一例を模式的に示し、図２におけるＸ−Ｘ線矢視概略一部縦断面図、及び一点鎖線内を拡大して示す概略縦断面図、図２は、同コンロ付調理台を模式的に示す概略斜視図である。
図３（ａ）、（ｂ）は、いずれも同コンロ付調理台が備える裏補強桟部材の一例を模式的に示し、（ａ）は、概略平面図、（ｂ）は、概略正面図である。
図４（ａ）、（ｂ）は、同コンロ付調理台が備える天板の一例を模式的に示し、（ａ）は、概略平面図、（ｂ）は、概略底面図である。
図５（ａ）〜（ｃ）は、いずれも同コンロ付調理台の組み付け工程の一例を説明するための説明図であり、（ａ）は、裏補強桟部材の組み付け例を示す概略拡大一部縦断面図、（ｂ）、（ｃ）は、それぞれ図１における一点鎖線内に対応する箇所を示す概略拡大一部縦断面図である。
尚、以下の各実施形態において指す前後方向は、コンロ付調理台の正面（引出し操作の可能な側）に、対面した使用者を基準に手前側を前、奥側を後とし、その前後方向に直交する方向を左右方向として説明する。
また、図１では、コンロ付調理台のキャビネット（収納部）を図示省略している。
【００１６】
本実施形態に係るコンロ付調理台１は、図２に示すように、大略的に、コンロ付カウンター２と、該コンロ付カウンター２の下部に配されたキャビネット３とを備えている。
上記キャビネット３は、左右に配された側板４，４と、背面側に設けられた図示しない背板と、上部に載置された上記コンロ付カウンター２とにより前方に開口する箱状とされており、その内方には、複数の引出し５を備えている。
上記コンロ付カウンター２は、図１に示すように、大略的に、キッチンの天板（ワークトップ）を構成するカウンター１０と、加熱調理器としての電磁式コンロ調理器２０と、上記カウンター１０の裏面１０ｂに固着された裏打ち材３０〜３５（図４（ｂ）参照）及び裏補強桟部材４０とを備えている。
【００１７】
上記カウンター１０は、図４（ａ）に示すように、平面視して略矩形状で、平板状に形成されており、図１及び図２に示すように、その前端部には、前垂れ部１１が左右方向に沿って垂設されている。また、該カウンター１０には、上記電磁式コンロ調理器２０を嵌め込み設置（いわゆるビルトイン）するための調理器用開口１２が略中央部に、左右方向を長辺とした略長方形状に開設されている。また、該カウンター１０の該調理器用開口１２のやや後方位置には、空気流通用開口としての排気用開口１３が、左右方向に沿って細長孔状に開設されている。
上記排気用開口１３には、２つの通気蓋部材１４，１４が着脱自在に嵌め込まれている。これら通気蓋部材１４，１４は、図２に示すように、上記排気用開口１３と同様、細長状とされ、多数の通気用の貫通孔が開設されている。また、これら通気蓋部材１４，１４は、排気用開口１３に嵌め込まれた状態で、その上面がカウンター１０の上面１０ａと略面一となるよう形成されており、また、その下部は、後記する裏補強桟部材４０に支持されている。このように、細長孔状に開設された一つの排気用開口１３に対して、該排気用開口１３を中央で分割するように、２つの通気蓋部材１４，１４を嵌め込むことで、通気蓋部材１４，１４を、例えば、細長孔状とされた一つの排気用開口に合わせて、一つのものとした場合と比べて、小さくできるので、通気蓋部材１４，１４の取扱い性及び清掃性が良い。尚、通気蓋部材を上記のように分割せずに、排気用開口に合わせて形成した一つの通気蓋部材としてもよい。
【００１８】
上記カウンター１０は、人造大理石等の樹脂製カウンターとされ、例えば、ビニルエステル樹脂や不飽和ポリエステル樹脂、熱硬化型アクリル樹脂等の熱硬化性樹脂を主材とし、これに、充填剤や柄材、離型剤、硬化剤等を添加した樹脂組成物を、注型用金型に注入し、加熱して硬化させることにより形成されており、高い耐衝撃性及び耐熱性を有している。
また、このカウンター１０の厚みは、例えば、５．０ｍｍ〜２０．０ｍｍ程度とされており、従来のメラミン化粧板等からなる木質カウンターと比べて、薄板状とされている。
【００１９】
上記電磁式コンロ調理器２０は、図１に示すように、大略的に、磁力発生コイルや各種制御機器等を内蔵したコンロ本体２１と、該コンロ本体２１の上部に設けられたトッププレート２２とを備え、本実施形態では、二口の加熱部２３，２３を左右方向に沿って横並びに並列配置している。
上記コンロ本体２１は、手前側に外気を導入するための吸気口２４を設け、また、後部側に排気口２５を設けている。また、上記吸気口２４の近傍に外気導入手段としてのファン２６を内蔵している。上記吸気口２４から導入される外気は、例えば、キャビネット３の前面側に設けられた図示しない電磁式コンロ調理器２０の操作部と幕板との隙間等や、同前面側に設けられた貫通孔等を介して導入される。
上記構成とされた電磁式コンロ調理器２０では、ファン２６を駆動することで、上記吸気口２４から外気を導入し、その導入した外気によって、コンロ本体２１の内部機器を強制的に冷却し、その冷却に使用されて昇温した熱風を、上記排気口２５から排気するようにしている。
【００２０】
上記トッププレート２２は、上記コンロ本体２１から外方に向けて延出する鍔部２２ａを有している。この鍔部２２ａには、アルミ材等の金属材からなる補強部材２２ｂが全周に亘って嵌着されており、該鍔部２２ａが後記する裏打ち材３０，３４，３５及び裏補強桟部材４０に支持されている。上記補強部材２２ｂは、トッププレート２２の上面よりもやや突出しており、該トッププレート２２の周縁部の堰として機能する。
また、本実施形態では、トッププレート２２の上面と、カウンター１０の上面１０ａとが上記補強部材２２ｂを除いて略面一となるように、上記電磁式コンロ調理器２０を設置している。
【００２１】
上記カウンター１０の裏面１０ｂに固着された裏打ち材３０〜３５は、それぞれ木質系材料を、平板状或いは角柱状に加工して形成されている。
本実施形態では、上記裏打ち材は、図４（ｂ）に示すように、カウンター１０の手前側の裏面１０ｂに固着された前部裏打ち材３０と、カウンター１０の後端部近傍の裏面１０ｂに固着された後部裏打ち材３１と、カウンター１０の左右端部近傍の裏面１０ｂにそれぞれ固着された左右裏打ち材３２，３３と、該左右裏打ち材３２，３３の内方に固着された左右支持桟材３４，３５とから構成されている。
上記前部裏打ち材３０は、図４（ａ）に示すように、上記調理器用開口１２の手前側縁部から、平面視して、その後端部３０ａが開口内方に向けて延出するように固着されている。また、上記左右支持桟材３４，３５は、上記調理器用開口１２の左右縁部から、平面視して、それぞれの一部が張り出すように固着されている。
【００２２】
上記裏補強桟部材４０は、図３及び図４に示すように、上記排気用開口１３の前後にそれぞれ左右方向に沿って固着された前部補強桟部材４１及び後部補強桟部材４５と、これら前部補強桟部材４１及び後部補強桟部材４５の左右にそれぞれ固着された一対のサイドカバー部材４８，４９とを備えている。
上記前部補強桟部材４１は、図１に示すように、平板状の上板状部４２と、該上板状部４２の下面に連成された中空筒状部４３と、該上板状部４２の下面に連成された鉤状係止部４４とを備えている。
上記上板状部４２の上面のカウンター裏面１０ｂに固着される部位には、複数本（図例では６本）の凹溝４２ｂが、長手方向（左右方向）に沿って形成されている。
また、この上板状部４２は、図３（ａ）の二点鎖線及び図４（ａ）に示すように、その前端部４２ｃが、平面視して、上記調理器用開口１２の後側縁部から開口内方に向けて延出するように（張り出すように）固着されている。また、上記上板状部４２は、その後端部４２ａが、平面視して、上記排気用開口１３の手前側縁部から開口内方に向けて延出するように（張り出すように）固着されている。
【００２３】
上記中空筒状部４３は、断面形状が略矩形状の三つの中空部を有しており、上記上板状部４２の下面に、左右方向に沿って長尺状に連成されている。この中空筒状部４３は、上記電磁式コンロ調理器２０の排気口２５から排気された熱風をカウンター１０の排気用開口１３に向けて送気するための空気流通路ａｐ１を構成する裏補強桟部材４０の内方空間と、カウンター１０との間に位置するように設けられており、当該空気流通路ａｐ１を送気される熱風からカウンター１０を断熱するための断熱部として機能する。換言すれば、上板状部４２のカウンター裏面１０ｂに固着される部位の下部に、当該中空筒状部４３が設けられている。
上記鉤状係止部４４は、上記上板状部４２の前端部近傍の下面に左右方向に沿って連成され、手前側に向けて開口するような鉤状とされ、後記する後部補強桟部材４５の係止突片部４７ｂを係止するための係止部として機能する。
【００２４】
上記後部補強桟部材４５は、図１に示すように、上記排気用開口１３の後部近傍のカウンター１０の裏面１０ｂに固着される固着部４６と、該固着部４６の下部に連成されたダクト状部４７とを備えている。
上記固着部４６の上面のカウンター裏面１０ｂに固着される部位には、図３（ａ）に示すように、複数本（図例では２本）の凹溝４６ｂが、長手方向（左右方向）に沿って形成されている。また、この固着部４６は、その前端部４６ａが、平面視して、上記排気用開口１３の後側縁部から開口内方に向けて延出するように（張り出すように）固着されている。
また、該固着部４６の下部には、上記同様の中空筒状部４６ｃが左右方向に沿って長尺状に連成されており、該中空筒状部４６ｃの後下端部には、外方に向けて突設されるとともに、上記後部裏打ち材３１の段部３１ａに固着される突片部４６ｄが連成されている。
【００２５】
上記ダクト状部４７は、上記固着部４６の下部から下方に向けて連成された背面部と、該背面部の下端部から手前側に向けて連成された底面部と、該底面部の手前側端部から上方に向けて連成された前面部とを備え、これら背面部、底面部及び前面部によって上方に向けて開口する筐体状とされている。また、この前面部の上端部には、後方に向けて突設された係止突片部４７ｂが連成されており、該係止突片部４７ｂが、上記した前部補強桟部材４１の鉤状係止部４４に係止される。
さらに、この前面部には、図３（ｂ）に示すように、左右方向に沿って長孔状とされた上流側開口４７ａが設けられている。この上流側開口４７ａは、図１に示すように、電磁式コンロ調理器２０の排気口２５に対向するように配設され、該排気口２５と連通される。
【００２６】
上記構成とされた前部補強桟部材４１及び後部補強桟部材４５は、これらが組み付けられた状態では、前部補強桟部材４１の後端部４２ａと後部補強桟部材４５の前端部４６ａとの間、及び左右側部が開口した左右方向に沿って長尺の略筒状体とされる。
この左右側部の開口は、上記一対のサイドカバー部材４８，４９によって閉塞されている。これら各サイドカバー部材４８，４９は、図３に示すように、上記略筒状体の左右側部の開口をそれぞれ閉塞するカバー部４８ｂ，４９ｂと、これらカバー部４８ｂ，４９ｂの上端部から外方に向けて延設されるとともに、カウンター１０の裏面１０ｂに固着される固着片部４８ａ，４９ａとを備えている。
これらサイドカバー部材４８，４９は、図３（ａ）に示すように、上記排気用開口１３の左右縁部から、平面視して、それぞれの一部が露出するように（張り出すように）固着されている。
また、これらサイドカバー部材４８，４９の手前側かつ内方側の一部が、上記調理器用開口１２の後部側入隅部から、平面視して、露出するように（張り出すように）固着されている。
【００２７】
上記前部補強桟部材４１及び後部補強桟部材４５は、本実施形態では、金属材からなるものとしている。該金属材としては、スチールや炭素鋼、ステンレス鋼、アルミニウム、アルミニウム合金等、どのようなものでも良いが、本実施形態では、鋼鉄材等と比べて、比較的軽量かつ安価であるアルミニウムからなるアルミ桟部材としている。このアルミ桟部材の成形は、例えば、押出成形等によって、上述のように長尺に成形するようにしてもよい。
また、上記サイドカバー部材４８，４９も上記同様の金属材からなるものとしており、例えば、切削、プレス加工等により上記のような形状に形成するようにしてもよい。
さらに、裏補強桟部材４０を構成する各部材４１，４５，４８，４９のカウンター１０の裏面１０ｂへの固着は、接着剤によって固着するようにしてもよく、例えば、常温硬化型の瞬間接着剤としてもよく、シリコーン系接着剤を併用するようにしてもよい。特に、前部補強桟部材４１及び後部補強桟部材４５の上面に塗布する接着剤は、これら上面に設けられた凹溝４２ｂ，４６ｂ内に隙間なく充填される接着剤とすることが好ましい。
【００２８】
上記構成とされた裏補強桟部材４０は、図３（ａ）に示すように、上記前部補強桟部材４１の後端部４２ａ、後部補強桟部材４５の前端部４６ａ及びサイドカバー部材４８，４９によって囲むように形成された下流側開口４０ａを有している。この下流側開口４０ａは、図３（ａ）の二点鎖線及び図４（ａ）に示すように、カウンター１０に開設された排気用開口１３に連通するように対応して形成されている。
すなわち、本実施形態では、裏補強桟部材４０は、その上流側開口４７ａが上記電磁式コンロ調理器２０の排気口２５と連通されるとともに、下流側開口４０ａが上記カウンター１０の排気用開口１３に連通されて、電磁式コンロ調理器２０から排気された熱風を排気するための排気用ダクトを構成し、その内方空間が、上記排気口２５から排気された熱風を、上記排気用開口１３に向けて送気するための空気流通路ａｐ１を構成する。
この裏補強桟部材４０の下流側開口４０ａから排気された熱風或いは排煙等は、排気用開口１３に嵌め込まれた通気蓋部材１４の貫通孔を介して、例えば、コンロ付調理台１の上部に設けられた図示しないレンジフード等によって吸引され、屋外等に排気される。
【００２９】
また、上記裏補強桟部材４０の下流側開口４０ａは、図３（ａ）の二点鎖線及び図４（ａ）に示すように、上記排気用開口１３よりも平面視して小さく形成されており、上述のように、平面視して排気用開口１３の周縁部から内方に向けて延出するように張り出した上記前部補強桟部材４１の後端部４２ａ、後部補強桟部材４５の前端部４６ａ及び各サイドカバー部材４８，４９の一部が、上記通気蓋部材１４を載置するための載置部を構成する。
さらに、上記調理器用開口１２の内方に向けて延出するように張り出した上記裏補強桟部材４０の前端部４２ｃ及び各サイドカバー部材４８，４９の一部が、図４（ａ）に示すように、上記前部裏打ち材３０の後端部３０ａ及び上記左右支持桟材３４，３５の張出部３４ａ，３５ａとともに、上記電磁式コンロ調理器２０のトッププレート２２の鍔部２２ａを支持する支持部として機能する。
【００３０】
次に、前記構成とされた各部材を組み付けてコンロ付調理台１を形成する組み付け工程の一例を図５に基づいて説明する。
まず、図５（ａ）に示すように、前部補強桟部材４１の鉤状係止部４４に、後部補強桟部材４５の係止突片部４７ｂを係止させて、前部補強桟部材４１と後部補強桟部材４５とを組み付ける。この際、上記各サイドカバー部材４８，４９を、それぞれ左右側部に固着するようにしてもよい。
次いで、上記のように各裏打ち材３０〜３５が固着されたカウンター１０の裏面１０ｂに、上記のように組み付けられた裏補強桟部材４０を、図５（ｂ）に示すように、接着剤によって固着させる。この際、カウンター１０の表裏を反転させるとともに、裏補強桟部材４０の表裏を反転させて固着させるようにしてもよい。
また、上記のように、前部補強桟部材４１と後部補強桟部材４５とを組み付けた状態で、カウンター１０の裏面１０ｂに固着させるのではなく、前部補強桟部材４１を該当箇所に固着し、次いで、後部補強桟部材４５を固着させるようにしてもよい。また、これら前部補強桟部材４１及び後部補強桟部材４５をカウンター１０の裏面１０ｂに固着させた後に、図４（ｂ）に示すように、各サイドカバー部材４８，４９をカウンター１０の裏面１０ｂに固着させるようにしてもよい。
【００３１】
上記のように裏補強桟部材４０をカウンター１０の裏面１０ｂに固着させた後、図５（ｃ）に示すように、上記電磁式コンロ調理器２０を、その鍔部２２ａを上記支持部に支持させるようにして、カウンター１０の調理器用開口１２に嵌め込んで設置する。この際、上記支持部の上面と、該鍔部２２ａの下面との間に、その全周に亘ってシール部材を介在させるようにしてもよい。また、該鍔部２２ａの外周部と調理器用開口１３の内周部との間に乾式或いは湿式のシール用目地部材を設けるようにしてもよい。
さらに、各通気蓋部材１４，１４を上記載置部に載置して、コンロ付カウンター２が形成され、該コンロ付カウンター２を、図２に示すように、上記キャビネット３の上部に載置して、コンロ付調理台１が形成される。
尚、上記したコンロ付調理台１の組み付け工程は、一例であり、他の工程にて形成するようにしてもよい。
【００３２】
以上のように本実施形態に係るコンロ付調理台１は、電磁式コンロ調理器２０の排気口２５から排気された熱風を、コンロ付調理台１外へ排気するための排気用開口１３を、カウンター１０に設けているので、従来のように、加熱調理器自体のトッププレートには、空気流通用開口を設ける必要がない。従って、電磁式コンロ調理器２０のトッププレート２２は、その略全面が平滑となり、美観性及び清掃性に優れたものとなる。
特に、本実施形態では、トッププレート２２の上面及び通気蓋部材１４の上面と、カウンター１０の上面１０ａとを略面一にしているので、コンロ付カウンター２の略全面がフラットな印象を与え、美観性に優れたものとなるとともに、フラットであることから清掃性に優れたものとなる。また、このように、トッププレート２２の上面及び通気蓋部材１４の上面と、カウンター１０の上面１０ａとを略面一にした場合にも、本実施形態では、上記のように、電磁式コンロ調理器２０のトッププレート２２の周縁部に、堰として機能する補強部材２２ｂを設けているので、トッププレート２２において調理中に吹き零れ等が生じた場合にも、上記各通気蓋部材１４への異物等の流入が低減される。
【００３３】
また、前記コンロ付調理台１は、上記のように、排気用開口１３を、カウンター１０に設けるとともに、該カウンター１０の裏面１０ｂに、該排気用開口１３に対応した下流側開口４０ａを形成した裏補強桟部材４０を固着している。従って、上記のように美観性及び清掃性を向上させることができるとともに、コンロ付調理台１のカウンター１０の強度を高めることができる。特に、本実施形態では、裏補強桟部材４０を金属材からなるものとしているので、従来の木質系材料からなる裏打ち材と比べて、効果的にカウンター１０の強度を高めることができる。
さらに、上記裏補強桟部材４０の前部補強桟部材４１及び後部補強桟部材４５のカウンター１０の裏面１０ｂへの固着面には、それぞれ凹溝４２ｂ，４６ｂを形成しているので、例えば、これら固着面が平滑面とされたものと比べて、カウンター１０の裏面１０ｂへの接着面積が増加し、当該裏補強桟部材４０のカウンター１０の裏面１０ｂへの固着強度を高めることができる。従って、当該裏補強桟部材４０がカウンター１０の裏面１０ｂから剥離することを低減できるので、カウンター１０の強度を効果的に高めることができる。
【００３４】
さらにまた、上記裏補強桟部材４０は、電磁式コンロ調理器２０から排気された熱風を排気するための排気用ダクトを構成するとともに、通気蓋部材１４を載置するための載置部及び電磁式コンロ調理器２０のトッププレート２２の鍔部２２ａを支持するための支持部の一部を構成している。従って、例えば、上記各部を別部材で構成するものと比べて、部品点数を少なくでき、組み付け工程時における工数を削減できる。
特に、本実施形態では、上記裏補強桟部材４０を金属材（アルミ材）からなるものとしているので、上記排気用開口１３から平面視して張り出す各部位の美観性及び清掃性が、例えばこれらを木質系材料からなるものとした場合と比べて、向上される。
【００３５】
また、上記裏補強桟部材４０は、空気流通路ａｐ１を構成する内方空間と、カウンター１０との間に位置する中空筒状部４３，４６ｃを有しているので、当該中空筒状部４３，４６ｃの中空部が、上記空気流通路ａｐ１を送気される熱風からカウンター１０を断熱するための断熱部として機能する。従って、上記排気口２５からの温風の熱を当該中空部で遮断でき、カウンター１０への伝熱を低減できる。特に、本実施形態のように、裏補強桟部材４０を、強度性、軽量性、コスト等の観点からアルミ材からなるものとした場合においても、その良好な伝熱性を、上記中空筒状部４３，４６ｃによって低減することができる。
【００３６】
尚、本実施形態では、裏補強桟部材４０を、前部補強桟部材４１、後部補強桟部材４５及びサイドカバー部材４８，４９により構成した例を示しているが、前部補強桟部材４１と後部補強桟部材４５とからなるものとし、これらの左右側部の閉塞は、左右裏打ち材３２，３３によってなすようにしてもよい。或いは、サイドカバー部材４８，４９に代えて、左右支持桟材３４，３５によって、上記前部補強桟部材４１及び後部補強桟部材４５とともに下流側開口４０ａを形成するような態様としてもよい。
このような態様とした場合においても、左右方向に沿って長尺状とされた排気用開口１３の長辺側には、金属材からなる上記前部補強桟部材４１及び後部補強桟部材４５が固着されるので、カウンター１０の強度を高めることができる。
【００３７】
また、本実施形態では、上記通気蓋部材１４を載置するための載置部は、排気用開口１３の周縁部から内方に向けて、その全周に亘って延出するように設けられたものを示しているが、これに限られず、例えば、上記前部補強桟部材４１の後端部４２ａ及び後部補強桟部材４５の前端部４６ａのみで、載置部を構成してもよく、或いは、各サイドカバー部材４８，４９の上記載置部に相当する部位のみで、載置部を構成するようにしてもよい。
さらに、本実施形態では、コンロ付調理台１を使用するユーザーへの熱風の影響が少なくなるよう、カウンター１０の電磁式コンロ調理器２０の後部近傍に、排気用開口１３を左右方向に沿って長尺状に形成した例を示しているが、これに限られず、例えば、電磁式コンロ調理器２０の側部近傍に、前後方向に沿って排気用開口を設けるような態様としてもよい。
さらにまた、本実施形態では、カウンター１０に設けた空気流通用開口としての開口１３は、電磁式コンロ調理器２０からの熱風を排気するための排気用開口１３としたが、これに限られず、加熱調理器へ外気を導入するための吸気用の開口としてもよく、或いは、排気と吸気とを兼用した開口としてもよい。このように排気と吸気とを兼用した開口とした場合には、上記裏補強桟部材４０の内方空間を、適宜、仕切るための仕切板等を設けるようにしてもよい。
【００３８】
また、本実施形態では、電磁式コンロ調理器２０を備えたコンロ付カウンター２を例示したが、これに限られず、例えば、ガスやラジエントヒータ、シーズヒータ、エンクロヒータ、ハロゲンヒータ等を熱源とする他のコンロ式調理器を備えたものとしてもよい。
さらに、コンロ式調理器に代えて、或いは加えて、オーブンレンジやグリル（ロースター）等の加熱調理器をキャビネット３に配設し、該加熱調理器に関連してなされる吸気や排気のための空気流通用開口及びダクトとして、上記排気用開口１３及び裏補強桟部材４０を把握するようにしてもよい。
【００３９】
さらにまた、本実施形態では、デザイン性及び使用者の作業性等の観点から、手前側に作業スペースを形成するように電磁式コンロ調理器２０を配置し、該電磁式コンロ調理器２０のトッププレート２２に、二口の加熱部２３，２３を並列配置させたものを例示しているが、このような態様に限られない。例えば、加熱部が一口、或いは三口以上とされたものとしてもよい。
また、カウンター１０は、人造大理石からなるものとしたが、これに限られず、他の樹脂製カウンターや木製カウンター等としてもよい。
さらにまた、本実施形態では、コンロ付調理台１の天板として、電磁式コンロ調理器２０を備えたコンロ付カウンター２を例示しているが、さらに、シンクや作業スペース等を備えた天板としてもよい。
【００４０】
次に、上記コンロ付調理台１が備える裏補強桟部材の一変形例を図６及び図７に基づいて説明する。
図６（ａ）〜（ｃ）は、いずれも第１変形例に係る裏補強桟部材を示し、（ａ）は、概略縦断面図、（ｂ）は、概略平面図、（ｃ）は、概略正面図である。
尚、上記裏補強桟部材４０との相違点を中心に説明し、同様の機能を有する構成については、同一符号を付し、その説明を省略あるいは簡略に説明する。
【００４１】
本変形例に係る裏補強桟部材４０Ａは、図６（ａ）に示すように、上記前部補強桟部材４１及び後部補強桟部材４５に対応する部位を、一体的に形成した筒状補強桟部材４１Ａと、該筒状補強桟部材４１Ａの左右側部の開口を閉塞する上記同様の一対のサイドカバー部材４８，４９とを備えている。
すなわち、上記筒状補強桟部材４１Ａは、カウンター１０の裏面１０ｂへの固着面を形成する上板状部４２及び固着部４６が一体的に形成され、その下部に上記同様の中空筒状部４３，４６ｃを連成し、ダクト状部４７Ａは、その前面部が上板状部４２の前端部に一体的に連結されている。
【００４２】
また、上記筒状補強桟部材４１Ａの上面には、図６（ｂ）に示すように、上記排気用開口１３に対応して形成された下流側開口４０Ａａが設けられている。本変形例では、この下流側開口４０Ａａは、二点鎖線で示すように、平面視して排気用開口１３よりも小さく形成され、該排気用開口１３の内周縁部からその全周に亘って露出するように張り出した張出部４２Ａａが、上記通気蓋部材１４を載置するための載置部を構成する。
また、上記同様、筒状補強桟部材４１Ａのダクト状部４７Ａの前面部には、図６（ｃ）に示すように、上流側開口４７ａが開設されている。
【００４３】
上記構成とされた本変形例に係る裏補強桟部材４０Ａによれば、上記した裏補強桟部材４０よりもさらに部品点数が削減される。従って、取扱い性及び組み付け性等を向上させることができる。
また、カウンター１０の排気用開口１３を取り囲むように裏面１０ｂに固着される部材が、上記のように一部材の筒状補強桟部材４１Ａとされているので、排気用開口１３の周囲のカウンター１０の強度をより効果的に高めることができる。
さらに、通気蓋部材１４が載置される載置部が、全周に亘って露出するように張り出された一部材からなる張出部４２Ａａとされているので、上記例よりも美観性及び清掃性に優れたものとなる。
【００４４】
図７（ａ）〜（ｃ）は、いずれも第２変形例に係る裏補強桟部材を示し、（ａ）は、概略縦断面図、（ｂ）は、概略平面図、（ｃ）は、概略正面図である。
尚、上記裏補強桟部材４０及び第１変形例に係る裏補強桟部材４０Ａとの相違点を中心に説明し、同様の機能を有する構成については、同一符号を付し、その説明を省略あるいは簡略に説明する。
【００４５】
上記各例では、各裏補強桟部材４０，４０Ａによって排気用ダクトの略全体を構成したものを例示したが、本変形例に係る裏補強桟部材４０Ｂは、排気用ダクトの略全体ではなく、その一部を構成している。
すなわち、本変形例に係る裏補強桟部材４０Ｂは、図７（ａ）に示すように、カウンター１０の裏面１０ｂへの固着面を形成する上板状部４２及び固着部４６を一体的に形成するとともに、その下部に上記同様の中空筒状部４３，４６ｃを連成したものとされており、その下部に、別体の下ダクト部材４５Ａが固着される態様とされている。
つまり、本変形例に係る裏補強桟部材４０Ｂは、排気用ダクトの上蓋を構成し、下ダクト部材４５Ａとによって排気用ダクトを構成している。
【００４６】
上記下ダクト部材４５Ａは、上記同様の背面部及び底面部を有し、さらに、本変形例では、図７（ｃ）に示すように、左右側面部４８Ａｂ，４９Ａｂを一体的に形成している。このような構成とされた下ダクト部材４５Ａは、上方及び手前側が開口され、その上方の開口が、下流側開口４０Ａａを形成した裏補強桟部材４０Ｂによって閉塞される。また、手前側の開口が、上記同様、電磁式コンロ調理器２０の排気口２５と連通される上流側開口４７Ａａとされる。
この下ダクト部材４５Ａには、ダクト状部４７Ａの背面部の上端部から外方に向けて延設された固着片４５ｂと、左右側面部４８Ａｂ，４９Ａｂから外方に向けて延設された固着片４５ａとが設けられている。これら固着片４５ａ，４５ｂを、それぞれ上記裏補強桟部材４０Ｂの中空筒状部４３Ａ，４６Ａｃに、ネジやビス等の止着具６によって固着させるようにしている。
【００４７】
上記構成とされた本変形例に係る裏補強桟部材４０Ｂによれば、上記第１変形例に係る裏補強桟部材４０Ａと同様、部品点数が削減され、取扱い性及び組み付け性等を向上させることができる。
また、上記第１変形例に係る裏補強桟部材４０Ａと同様、カウンター１０の排気用開口１３を取り囲むように裏面１０ｂに固着される部材が、上記のように一部材とされた裏補強桟部材４０Ｂとされているので、排気用開口１３の周囲のカウンター１０の強度をより効果的に高めることができる。
さらに、通気蓋部材１４が載置される載置部が、全周に亘って張り出された一部材からなる張出部４２Ａａとされているので、上記第１変形例に係る裏補強桟部材４０Ａと同様、美観性及び清掃性に優れたものとなる。
【００４８】
次に、本発明に係る他の実施の形態について、図面を参照しながら説明する。
図８（ａ）、（ｂ）は、いずれも第２実施形態に係るコンロ付調理台の一例を模式的に示し、（ａ）は、概略斜視図、（ｂ）は、図１における一点鎖線内に対応する箇所を示す概略拡大一部縦断面図、図９（ａ）、（ｂ）は、いずれも図４に対応させた図である。
図１０（ａ）は、同コンロ付調理台が備える裏補強桟部材の一例を模式的に示す概略平面図、（ｂ）、（ｃ）は、いずれも同コンロ付調理台の組み付け工程の一例を説明するための説明図であり、それぞれ図１における一点鎖線内に対応する箇所を示す概略拡大一部縦断面図である。
図１１（ａ）、（ｂ）は、いずれも同コンロ付調理台の組み付け工程の一例を説明するための説明図であり、それぞれ図１における一点鎖線内に対応する箇所を示す概略拡大一部縦断面図である。
尚、上記第１実施形態との相違点を中心に説明し、同様の構成については、同一符号を付し、その説明を省略あるいは簡略に説明する。
【００４９】
本実施形態に係るコンロ付調理台１Ａは、コンロ付カウンター２Ａのカウンター１０Ａ、電磁式コンロ調理器２０Ａ及び裏補強桟部材５０の構成が上記第１実施形態とは異なる。
上記電磁式コンロ調理器２０Ａは、本実施形態では、図８（ａ）に示すように、三口の加熱部２３，２３，２３を左右方向に沿って横並びに並列配置している。
上記カウンター１０Ａの調理器用開口１２Ａは、上記三口の電磁式コンロ調理器２０Ａの横幅に合わせて、上記第１実施形態よりも横幅が大きく形成されている。
また、上記カウンター１０Ａには、図８（ａ）に示すように、独立した三つの排気用開口１３Ａ，１３Ａ，１３Ａが設けられており、これら各排気用開口１３Ａには、それぞれ通気蓋部材１４Ａが着脱自在に嵌め込まれている。
また、本実施形態では、上記裏補強桟部材５０は、図８（ｂ）に示すように、排気用ダクトとは別体とされており、該裏補強桟部材５０の下面に排気用ダクト部材６０が固着されている。
【００５０】
上記裏補強桟部材５０は、図１０に示すように、左右方向に沿って長尺状に形成された平板状の板状部５１と、該板状部５１の下部の前後にそれぞれ連成された上記同様の中空筒状部５２，５３とを有している。
上記板状部５１には、上記三つの独立して開設された排気用開口１３Ａのそれぞれに連通する三つの下流側開口５０ａが開設されている。また、該板状部５１の上面のカウンター１０Ａの裏面１０ｂへの固着面には、上記同様の凹溝５１ｂが形成されている。
上記板状部５１の各下流側開口５０ａは、図９（ａ）及び図１０（ａ）の二点鎖線で示すように、各排気用開口１３Ａよりも平面視して、それぞれ小さく形成されており、各排気用開口１３Ａの内周縁部からその全周に亘って張り出した張出部５１ａが、上記各通気蓋部材１４Ａを載置するための載置部を構成する。
また、上記板状部５１は、調理器用開口１２Ａの後側縁部から、平面視して、その前端部５１ｃが開口内方に向けて延出するように固着されており、該前端部５１ｃが、上記第１実施形態と同様、上記前部裏打ち材３０の後端部３０ａ及び上記左右支持桟材３４，３５の張出部３４ａ，３５ａとともに、上記電磁式コンロ調理器２０のトッププレート２２の鍔部２２ａを支持する支持部として機能する。
【００５１】
上記排気用ダクト部材６０は、図８（ａ）に示すように、縦ダクト部６１と、該縦ダクト部６１に連成された水平ダクト部６２と、該縦ダクト部６１内に収容されたトレイ６４とを備えている。
本実施形態では、図９（ｂ）に示すように、上記三つの排気用開口１３Ａに合わせて、独立した三つの排気用ダクト部材６０，６０，６０を備えている。
上記トレイ６４は、上方に開口６４ｂを形成した断面形状がカップ状とされ、その上端部にはフランジ部６４ｃが連成されている。また、前面側壁には、縦ダクト部６１を送気される空気を取り入れる取り入れ口６４ａが開設されており、その下部には溜め部が形成されている。
このトレイ６４は、上記裏補強桟部材５０の張出部５１ａに、そのフランジ部６４ｃが支持され、着脱自在とされている。
このようなトレイ６４を設けることにより、上記通気蓋部材１４Ａから流下したゴミや水分等の異物を、該トレイ６４の溜め部によって捕捉できる。
【００５２】
上記縦ダクト部６１には、上記裏補強桟部材５０の下流側開口５０ａと略同寸同形状とされ、該下流側開口５０ａに連通される開口６２ｂが形成されている。また、該縦ダクト部６１は、上記トレイ６４を収容するために、水平ダクト部６２よりも下方にむけて突出するように形成されている。
また、上記水平ダクト部６２には、電磁式コンロ調理器２０Ａの排気口２５に対向配置されて連通される上流側開口６２ａと、図９（ｂ）に示すように、側壁から外方に向けて延設された固着片６３とが設けられている。
これら一体的に形成された縦ダクト部６１及び水平ダクト部６２の天面部は、上記開口６２ｂを除いて閉塞されており、該天面部は、上記裏補強桟部材５０の下面の形状に合わせた形状とされている。
上記構成とされた排気用ダクト部材６０は、その固着片６３が上記裏補強桟部材５０の中空筒状部５２に、上記同様の止着具６によって固着される。また、電磁式コンロ調理器２０Ａの排気口２５から排気された熱風は、空気流通路ａｐ２を構成する水平ダクト部６２、縦ダクト部６１及び、該縦ダクト部６１に収容されたトレイ６４を経て、通気蓋部材１４Ａの貫通孔を介して、排気用開口１３Ａから排気される。
【００５３】
次に、前記構成とされた各部材を組み付けてコンロ付調理台１Ａを形成する組み付け工程の一例を図１０及び図１１に基づいて説明する。
まず、図１０（ｂ）に示すように、カウンター１０Ａの裏面１０ｂに、裏補強桟部材５０を接着剤によって固着し、図９（ｂ）及び図１０（ｃ）に示すように、三つの上記排気用ダクト部材６０を、裏補強桟部材５０に止着具６によって固着する。この際、カウンター１０Ａの表裏を反転させるとともに、裏補強桟部材５０及び排気用ダクト部材６０の表裏を反転させて固着させるようにしてもよい。
【００５４】
次いで、カウンター１０Ａの調理器用開口１２Ａの内周縁部から平面視して張り出した上記支持部（図９（ａ）参照）に、図１１（ａ）に示すように、上記電磁式コンロ調理器２０Ａの鍔部２２ａを支持させるようにして、該電磁式コンロ調理器２０Ａを、カウンター１０Ａの調理器用開口１２Ａに嵌め込んで設置する。
さらに、上記各トレイ６４及び各通気蓋部材１４Ａを、上記載置部に載置して、コンロ付カウンター２Ａが形成され、該コンロ付カウンター２Ａを、図８（ａ）に示すように、上記キャビネット３の上部に載置して、コンロ付調理台１Ａが形成される。
尚、上記したコンロ付調理台１Ａの組み付け工程は、一例であり、他の工程にて形成するようにしてもよい。
【００５５】
以上のように本実施形態に係るコンロ付調理台１Ａによれば、上記第１実施形態と同様、美観性及び清掃性が向上される。
また、排気用開口１３Ａを、三つの加熱部２３，２３，２３に合わせて、独立して開設しているので、上記第１実施形態のものと比べて、カウンター１０Ａの強度が向上される。
さらに、本実施形態では、上記排気用開口１３Ａに合わせて、独立した排気用ダクト部材６０を設けるようにしているので、各加熱部において排気される熱風を、独立して送気、排気することができ、他の加熱部への干渉等を低減できる。
尚、上記のように独立して設けた排気用開口１３Ａの個数は、図例のものに限られず、電磁式コンロ調理器２０Ａの加熱部の口数に応じて、他の個数としてもよく、その場合は、その個数に合わせて、裏補強桟部材５０の下流側開口５０ａ及び排気用ダクト部材６０を設けるようにしてもよい。
【００５６】
また、本実施形態に係る裏補強桟部材５０及び排気用ダクト部材６０に代えて、上記第１実施形態及びその変形例で説明した各裏補強桟部材４０，４０Ａや、裏補強桟部材４０Ｂ及び下ダクト部材４５Ａを採用するようにしてもよい。この場合は、複数の排気用開口１３Ａに合わせて、ダクトを構成する各部材の内方空間を仕切る仕切板等を設けるようにしてもよい。或いは、上記各部材を、排気用開口の個数に合わせて、独立して設けるようにしてもよい。
さらに、本実施形態に係る排気用ダクト部材６０が備えるトレイ６４を、上記第１実施形態及びその変形例で説明した各裏補強桟部材４０，４０Ａや、下ダクト部材４５Ａに収容させる態様としてもよい。この場合は、上記各ダクト状部４７，４７Ａ，４７Ｂの形状を、トレイ６４を収容可能なように適宜、変形すればよい。
さらにまた、本実施形態に係る裏補強桟部材５０及び排気用ダクト部材６０を、適宜、変形し、第１実施形態で説明したカウンター１０に適用して上記コンロ付調理台１を形成するようにしてもよい。
【図面の簡単な説明】
【００５７】
【図１】本発明に係るコンロ付調理台の一実施形態を模式的に示し、図２におけるＸ−Ｘ線矢視概略一部縦断面図、及び一点鎖線内を拡大して示す概略縦断面図である。
【図２】同コンロ付調理台を模式的に示す概略斜視図である。
【図３】（ａ）、（ｂ）は、いずれも同コンロ付調理台が備える裏補強桟部材の一例を模式的に示し、（ａ）は、概略平面図、（ｂ）は、概略正面図である。
【図４】（ａ）、（ｂ）は、同コンロ付調理台が備える天板の一例を模式的に示し、（ａ）は、概略平面図、（ｂ）は、概略底面図である。
【図５】（ａ）〜（ｃ）は、いずれも同コンロ付調理台の組み付け工程の一例を説明するための説明図であり、（ａ）は、裏補強桟部材の組み付け例を示す概略拡大一部縦断面図、（ｂ）、（ｃ）は、それぞれ図１における一点鎖線内に対応する箇所を示す概略拡大一部縦断面図である。
【図６】（ａ）〜（ｃ）は、いずれも同コンロ付調理台が備える裏補強桟部材の一変形例を模式的に示し、（ａ）は、概略縦断面図、（ｂ）は、概略平面図、（ｃ）は、概略正面図である。
【図７】（ａ）〜（ｃ）は、いずれも同コンロ付調理台が備える裏補強桟部材の一変形例を模式的に示し、（ａ）は、概略縦断面図、（ｂ）は、概略平面図、（ｃ）は、概略正面図である。
【図８】（ａ）、（ｂ）は、いずれも本発明に係るコンロ付調理台の他の実施形態を模式的に示し、（ａ）は、概略斜視図、（ｂ）は、図１における一点鎖線内に対応する箇所を示す概略拡大一部縦断面図である。
【図９】（ａ）、（ｂ）は、いずれも図４に対応させた図である。
【図１０】（ａ）は、同コンロ付調理台が備える裏補強桟部材の一例を模式的に示す概略平面図、（ｂ）、（ｃ）は、いずれも同コンロ付調理台の組み付け工程の一例を説明するための説明図であり、それぞれ図１における一点鎖線内に対応する箇所を示す概略拡大一部縦断面図である。
【図１１】（ａ）、（ｂ）は、いずれも同コンロ付調理台の組み付け工程の一例を説明するための説明図であり、それぞれ図１における一点鎖線内に対応する箇所を示す概略拡大一部縦断面図である。
【符号の説明】
【００５８】
１，１Ａ                        コンロ付調理台
１０，１０Ａ                    カウンター（天板）
１０ｂ                          カウンターの裏面
１２，１２Ａ                    調理器用開口
１３，１３Ａ                    排気用開口（空気流通用開口）
１４，１４Ａ                    通気蓋部材
２０，２０Ａ                    電磁式コンロ調理器（加熱調理器、コンロ式調理器）
２２                            トッププレート（コンロ式調理器の天板）
２２ａ                          トッププレートの鍔部（天板鍔部）
４０，４０Ａ，４０Ｂ            裏補強桟部材
４０ａ，４０Ａａ                下流側開口（空気流通用開口に対応した開口）
４２ａ，４６ａ，４８ａ，４９ａ  載置部
４２Ａａ                        載置部
４２ｂ，４６ｂ                  凹溝
４２ｃ                          支持部
４３                            中空筒状部（中空部）
５０                            裏補強桟部材
５０ａ                          下流側開口（空気流通用開口に対応した開口）
５１ａ                          載置部
５１ｂ                          凹溝
５１ｃ                          支持部
５２                            中空筒状部（中空部）
ａｐ１，ａｐ２                  空気流通路
【図１】
2010011968.tif 000003
【図２】
2010011968.tif 000004
【図３】
2010011968.tif 000005
【図４】
2010011968.tif 000006
【図５】
2010011968.tif 000007
【図６】
2010011968.tif 000008
【図７】
2010011968.tif 000009
【図８】
2010011968.tif 000010
【図９】
2010011968.tif 000011
【図１０】
2010011968.tif 000012
【図１１】
2010011968.tif 000013